(57)【要約】【課題】  簡単な構造で、上記画像書込部に異物が進入することを抑制する工夫が施された画像書込装置を提供する。【解決手段】  媒体装填室２と画像書込部３との境界に配備された、インスタントフィルム１０１の進行方向を向きその媒体装填室２からその画像書込部３に向かって送り出されてきたインスタントフィルム１０１の画像書込面に接しそのインスタントフィルム１０１の進行方向に従ってその画像書込面を拭うシート２２と、そのシート２２の画像書込部側の面に一部が重なり、シート２２と分担して媒体装填室２と画像書込部３との間に隔壁を形成するとともに、進行してきたインスタントフィルム１０１に押されて撓りそのインスタントフィルム１０１の通路を開ける第２のシート２３とを備える。【選択図】        図６
2007007911.tif 000002
【特許請求の範囲】
【請求項１】
記録媒体に画像を記録して該記録媒体を外部に送り出す画像書込装置において、
前記記録媒体が装填される媒体装填室と、
前記媒体装填室に隣接する位置に設けられ、前記記録媒体に画像を書き込む画像書込部と、
前記記録媒体を前記媒体装填室から送り出し前記画像書込部を経由して外部に送り出す搬送手段と、
前記媒体装填室と前記画像書込部との境界に配備された、記録媒体の進行方向を向き該媒体装填室から該画像書込部に向かって送り出されてきた記録媒体の画像書込面に接し該記録媒体の進行方向に従って該画像書込面を拭うシートとを備えたことを特徴とする画像書込装置。
【請求項２】
前記シートの前記画像書込部側の面に一部が重なり、該シートと分担して前記媒体装填室と前記画像書込部との間に隔壁を形成するとともに、進行してきた前記記録媒体に押されて撓り該記録媒体の通路を開ける第２のシートをさらに備えたことを特徴とする請求項１記載の画像書込装置。
【請求項３】
前記シートが、前記媒体装填室と前記画像書込部との間に隔壁を形成するとともに前記記録媒体の通路上に記録媒体が通過するスリットが形成され、該スリットの辺で、該記録媒体の画像書込面に接するものであることを特徴とする請求項１記載の画像書込装置。
【請求項４】
前記媒体装填室は、一辺側に現像液を内蔵したポッド部を有し、他辺側に余った現像液を吸収するトラップ部を有し、該ポッド部と該トラップ部とに挟まれた中央に画像が書き込まれる画像書込領域を有する記録媒体を、前記ポッド部を前記画像書込部側にして装填を受けるものであり、前記画像書込部は、進行してきた記録媒体に露光光を照射することにより潜像を書き込むものであって、
さらに、該画像書込部の記録媒体進行方向下流側に、進行してきた記録媒体のポッド部の現像液を展開して潜像を現像する現像部を備えたことを特徴とする請求項１記載の画像書込装置。
【発明の詳細な説明】
【技術分野】
【０００１】
本発明は、記録媒体を外部に送り出しながら記録する画像書込装置に関する。
【背景技術】
【０００２】
従来より、記録媒体を外部に送り出しながら記録する画像書込装置の一例して、インスタントフイルム上に画像を書き込むプリンタが知られている。このプリンタには、画像データに基づいて発光する光学ヘッドが備えられており、その光学ヘッドによってインスタントフイルムの画像書込領域に被写体像を表わす画像が露光される。そして、そのインスタントフイルムの画像書込領域に露光が行なわれたら、現像液を展開しながら現像が行なわれる。
【０００３】
ところで、上記プリンタでは、使用しているうちに、現像済みのインスタントフィルムに、点状の現像むらなどによる画像不具合が生じる場合がある。この不具合の原因として、プリンタに備えられている、インスタントフイルムを挟み込んで回転し、貯留されている現像液をインスタントフイルム内に展開する展開ローラに異物が付着していることが挙げられる。すなわち、この展開ローラに異物が付着すると、インスタントフィルムの、異物の付着している部分で押された部分は現像液の供給量が少なくなり、正しく現像されずに点状の現像むらが発生する。さらに、異物が展開ローラに付着したままの状態が続くと、展開ローラが１回転するごとに異物はインスタントフイルムと接触するため、周期的に点状の現像むらが発生する。
【０００４】
そこで、異物を除去するクリーニング手段として、展開ローラ外周面に当接して、展開ローラの外周面をクリーニングする回転ブラシを設けた技術が提案されている（例えば、特許文献１参照。）。
【０００５】
特許文献１によれば、展開ローラの外周面に付着した異物を取り除くことで、上記の現像むらの発生を抑制することができる。
【特許文献１】特開２００２−２３２５４号公報（第６頁、図１）
【発明の開示】
【発明が解決しようとする課題】
【０００６】
ところが、インスタントフィルムに画像を書き込む画像書込部内に異物が進入すると、上記展開ローラに異物が付着するとは限らず、光学ヘッドに異物が付着したり、現像液をインスタントフィルムの画像書込領域全体に行きわたらせる制御板に付着したりする場合がある。この光学ヘッド上に異物が付着すると、露光光を遮蔽してしまうため、露光光が遮蔽された箇所については、インスタントフィルムに異物に起因する線上の画像が現れるという問題が生じる。また、制御板は、インスタントフィルムの画像が書き込まれる画面部に接触するものであり、制御板に異物が付着すると、インスタントフィルム画面上を傷つけるという問題が生じる。
【０００７】
本発明は上記事情に鑑み、簡単な構造で、上記画像書込部に異物が進入することを抑制する工夫が施された画像書込装置を提供することを目的とする。
【課題を解決するための手段】
【０００８】
上記目的を達成する本発明の画像書込装置は、
記録媒体に画像を記録してその記録媒体を外部に送り出す画像書込装置において、
上記記録媒体が装填される媒体装填室と、
上記媒体装填室に隣接する位置に設けられ、上記記録媒体に画像を書き込む画像書込部と、
上記記録媒体を上記媒体装填室から送り出し上記画像書込部を経由して外部に送り出す搬送手段と、
上記媒体装填室と上記画像書込部との境界に配備された、記録媒体の進行方向を向きその媒体装填室からその画像書込部に向かって送り出されてきた記録媒体の画像書込面に接しその記録媒体の進行方向に従ってその画像書込面を拭うシートとを備えたことを特徴とする。
【０００９】
本発明の画像書込装置では、記録媒体の画像書込面上に付着した異物が、上記媒体装填室から上記画像書込室へ搬送されて来ると、上記シートが上記記録媒体の画像書込面上の異物と接してその異物を拭うので、上記画像書込部に異物が進入することが抑制される。その結果、簡単な構造からなる上記シートを用いることで、異物に起因する画像品質の劣化を抑制することができる。
【００１０】
ここで、本発明は、上記シートの前記画像書込部側の面に一部が重なり、そのシートと分担して上記媒体装填室と上記画像書込部との間に隔壁を形成するとともに、進行してきた上記記録媒体に押されて撓りその記録媒体の通路を開ける第２のシートをさらに備えたことものであることが好ましい。
【００１１】
上記媒体装填室と上記画像書込部との間に隔壁を形成すると、上記画像書込装置の未使用時において、上記媒体装填室から上記画像書込部に異物が進入するというおそれが取り除かれる。また、使用時においても、記録媒体の画像書込面上に付着した異物が、上記媒体装填室から上記画像書込室へ搬送されて来ると、上記シートが上記画像書込面上の異物と接してその異物を拭うので、上記画像書込部に異物が進入することが抑制される。
【００１２】
また、本発明において、上記シートが、上記媒体装填室と上記画像書込部との間に隔壁を形成するとともに上記記録媒体の通路上に記録媒体が通過するスリットが形成され、そのスリットの辺で、その記録媒体の画像書込面に接するものであってもよい。
【００１３】
スリットが設けられたシートであっても、このスリットの辺が上記画像書込面上の異物と接しその異物を拭うので、上記画像書込部に異物が進入することが抑制される。
【００１４】
ここで、上記媒体装填室は、一辺側に現像液を内蔵したポッド部を有し、他辺側に余った現像液を吸収するトラップ部を有し、そのポッド部とそのトラップ部とに挟まれた中央に画像が書き込まれる画像書込領域を有する記録媒体を、上記ポッド部を上記画像書込部側にして装填を受けるものであり、上記画像書込部は、進行してきた記録媒体に露光光を照射することにより潜像を書き込むものであって、
さらに、その画像書込部の記録媒体進行方向下流側に、進行してきた記録媒体のポッド部の現像液を展開して潜像を現像する現像部を備えたことものであることが好ましい。
【００１５】
本発明の画像書込装置によれば、使用者は、インスタント画像を容易に得ることができる。
【発明の効果】
【００１６】
以上説明したように、本発明によれば、簡単な構造で、上記画像書込部に異物が進入することを抑制する工夫が施された画像書込装置を提供することができる。
【発明を実施するための最良の形態】
【００１７】
以下図面を参照して本発明の実施の形態を説明する。
【００１８】
図１は、本発明の第１の実施形態であるプリンタの、前方斜め上から見たときの外観斜視図である。
【００１９】
このプリンタ１は、携帯電話などと組み合わされて使用されるものである。このプリンタ１は、露光により潜像が形成されて現像液が展開されて現像されるインスタントフイルムを使用する。このインスタントフイルムが本発明にいう記録媒体の一例に相当する。
【００２０】
携帯電話にはＩＲＤＡ（ＩｎｆＲａｒｅｄ  Ｄａｔａ  Ａｓｓｏｃｉａｔｉｏｎ）に準拠した赤外線通信を行なえるものがあり、この赤外線通信を使用して携帯電話に保存されている任意の情報を他の情報機器へ送信することができ、デジタルカメラ付き携帯電話であれば、画像データをこのプリンタ１に送信することができる。このプリンタ１は、そのデジタルカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフイルム上に画像の記録を行なうものであり、さらにその送信された画像データに基づく画像の再記録を、携帯電話から再送信をわざわざ行なわなくても、後述するリピートスイッチを操作するという簡単な操作で別のインスタントフイルム上に行なえるものである。
【００２１】
このプリンタ１は、図１に示すように薄型で軽量かつ小型の構造を有する可搬型のプリンタである。
【００２２】
このプリンタ１の筐体１ａの上面には操作ボタンとして、プリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタントフイルムの残り枚数を示すカウンタ１３が設けられている。このカウンタ１３は機械式のカウンタであり、インスタントフイルムが複数枚（以下、１０枚として説明する。）積層されたインスタントフイルムパックが装填されると残り枚数が１０枚であることを示す数値‘１０’が表示される。（インスタントフイルムパックの構造については後述する。）以下、インスタントフイルムに画像の記録が行なわれる度に枚数が減算された残り枚数を示す数値が表示され、１０枚目のインスタントフイルムに画像の記録が行なわれると残り枚数が０枚であることを示す数値‘０’が表示される。なお、インスタントフイルムパックが抜かれた場合は、何も表示されないブランク状態となる。
【００２３】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２４】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用ＬＥＤ１７が設けられている。
【００２５】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２６】
図２は、図１に示すプリンタの下面側を斜め下方から見た斜視図である。
【００２７】
このプリンタ１の下面側には、図２に示すフイルムドア開放スイッチ１８の操作により開放されるフイルムドア２０が設けられており、このフイルムドア２０が開けられ、インスタントフイルムパックが後述する媒体装填室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００２８】
また、このプリンタ１には、現像後のインスタントフィルムを外部に送出するための送出口１９も設けられている。
【００２９】
図３は、このプリンタで使用されるインスタントフイルムの露光面を示す斜視図、図４は、インスタントフイルムの観察面を示す斜視図である。
【００３０】
図３には、インスタントフイルム１０１の露光面１０１＿１が示されている。この露光面１０１＿１には、インスタントフイルム１０１の搬送方向先端部に配備された現像液を内蔵したポッド部１０１ａと、画像が露光される画像書込領域１０１ｂと、余白部１０１ｃと、余った現像液を吸収するトラップ部１０１ｄとが設けられている。また、図４には、インスタントフイルム１０１の観察面１０１＿２側が示されている。この観察面１０１＿２には、露光により潜像が形成され処理液の展開を受けて顕像化された画像を観察するための観察部１０１ｅと、余白部１０１ｆが設けられている。
【００３１】
図５は、このプリンタで使用されるインスタントフイルムパックの、前方斜め上から見たときの外観斜視図である。
【００３２】
このインスタントフィルムパック１０２の上面１０３には、後述するバネ部材がインスタントフィルムパック内に進入するための開口１０４ａ、１０４ｂが設けられている。
【００３３】
また、このインスタントフィルムパック１０２の側面１０５には、スリット状のインスタントフィルム送出口１０６が設けれれており、そのインスタントフィルム送出口１０６を外部から遮光する遮光シール１０７が、そのインスタントフィルム送出口１０６を塞ぐように貼り付けられている。なお、インスタントフィルム１０１がインスタントフィルム送出口１０６から送り出される際には、この遮光シール１０７の一部が捲れて、インスタントフィルム１０１が送り出される。
【００３４】
このインスタントフィルムパック１０２は、このプリンタ１の筐体１ａ内に装填され、そのインスタントフイルムパック内の、積層された１０枚のインスタントフイルム一枚一枚に画像の記録が行なわれる。
【００３５】
次に、このプリンタ１の内部について説明する。
【００３６】
図６は、図２に示すプリンタの、フイルムドアが開けられた状態の斜視図である。
【００３７】
フイルムドア２０の内側には、前述したパック在否確認窓２０ａと、バネ部材２０ｂ、２０ｃが設けられており、これらバネ部材２０ｂ、２０ｃによってインスタントフイルムパック内に積層されたインスタントフイルム１０１がプリンタ１の上面側に押圧される。
【００３８】
また、プリンタ１には、インスタントフイルムパック１０２を装填するための媒体装填室２が設けられている。
【００３９】
さらに、プリンタ１には、媒体装填室２と後述する画像書込部との間に隔壁を形成するシート２２、および第２のシート２３が設けられている。シート２２、および第２のシート２３の詳細については後述する。
【００４０】
また、媒体装填室２内には、インスタントフイルムを画像書込部側に送り出させるためのクロー（爪）部材２４が設けられている。
【００４１】
図７は、プリンタを断面で切断したときの、前方斜め上から見たときの外観斜視図である。
【００４２】
図７に示されるように、図３で示したインスタントフイルム１０１に画像を書き込む画像書込部３が、媒体装填室２に隣接する位置に設けられている。
【００４３】
この画像書込部３には、進行してきたインスタントフイルム１０１に露光光を照射することにより潜像を書き込む光学ヘッド３０が設けられている。
【００４４】
また、この画像書込部３には、インスタントフイルム１０１の両側部を挟んでそのインスタントフイルム１０１を搬送する一対の搬送ローラ３１、３２が備えられている。
【００４５】
さらに、画像書込部３のインスタントフイルム１０１の進行方向下流側には、進行してきたインスタントフイルムのポッド部１０１ａの現像液を展開して潜像を現像する現像部４が設けられている。
【００４６】
この現像部４には、上記一対の搬送ローラ３１、３２よりもインスタントフイルム１０１の搬送方向下流側に配備され、そのインスタントフイルム１０１を全幅に亘って挟んでポッド部１０１ａを押し潰して現像液を展開する一対の展開ローラ４１、４２が備えられている。
【００４７】
さらに、現像部４には、搬送ローラ３１、３２と展開ローラ４１、４２との間に位置して展開中の現像液を制御するための制御板４３、４４と、インスタントフイルム１０１を案内するためのフイルム案内フレーム４５が備えられている。
【００４８】
このプリンタ１には、媒体装填室２と接するプリントヘッド部３０の側面に、媒体装填室２から画像書込部３に向かって送り出されてきたインスタントフイルムの画像書込領域１０１ｂに接し、そのインスタントフイルム１０１の進行方向に従って、画像書込領域１０１ｂを拭うシート２２が設けられている。
【００４９】
さらに、シート２２の画像書込部側の面に一部が重なり、シート２２と分担して媒体装填室２と画像書込部３との間に隔壁を形成するとともに、進行してきたインスタントフィルム１０１に押されて撓りそのインスタントフィルム１０１の通路を開ける、シート２２と比べ柔らかい材質からなる第２のシート２３が、媒体装填室２と画像書込部３とを仕切る媒体装填室２側の本体壁２５に設けられている。
【００５０】
次に、本発明の第１の実施形態である、このプリンタ１がインスタントフィルムを現像する動作について説明する。
【００５１】
図８は、図１に示すプリンタにおいて、デジタルカメラ付き携帯電話からの画像データが送信される様子を示す図である。
【００５２】
まず使用者が、プリンタ１の電源ＳＷ１１をオンにした後、デジタルカメラ付き携帯電話５の赤外線通信部をプリンタ１の送受信部１４に向けた状態で、そのデジタルカメラ付き携帯電話５の画像データを送信するためのボタン５１を押すと、デジタルカメラ付き携帯電話５で撮影された画像データが赤外線通信を用いてこのプリンタ１に送信される。
【００５３】
次に、デジタルカメラ付き携帯電話５からの画像データが送信されると、インスタントフィルム１０１が媒体装填室２から送り出される。
【００５４】
図９は、インスタントフィルムが媒体装填室から送り出された後に第２のシートと当接したときの、媒体装填室と画像書込部との境界部分を表した断面図である。
【００５５】
図９に示されるように、インスタントフィルム１０１が送り出されると、先ずシート２２とインスタントフィルムの露光面１０１＿１が接する。そして、インスタントフィルムの先端部１０１ｇが、シート２３と当接する。
【００５６】
次に、シート２３は、進行してきたインスタントフィルム１０１に押されて撓りそのインスタントフィルム１０１の通路を開ける。インスタントフィルム１０１が進行するに従って、シート２２は、インスタントフィルム１０１の画像書込領域１０１ｂを拭う。
【００５７】
図１０は、インスタントフィルムが搬送ローラに挟まれた後の、媒体装填室と画像書込部との境界部分を表した断面図である。
【００５８】
図１０に示されるように、画像書込領域１０１ｂに異物が付着していても、シート２２によってその異物の進入は抑制される。従って、画像書込領域１０１ｂには異物は付着せず、光学ヘッド３０により露光光が照射され、潜像が形成される過程で異物による不具合が生じるおそれが取り除かれる。
【００５９】
続いて、このインスタントフィルム１０１が現像部に送り出され、第２シート２３との接触が開放されると、この第２シートは図９に示すように元の位置に復帰する。
【００６０】
このインスタントフィルム１０１は、現像部５で現像された後、図８に示す送出口１９から送り出され、プリンタ１の現像は終了する。
【００６１】
従って、第１の実施形態のプリンタ１によれば、簡単な構造で、画像書込部３に異物が進入することを抑制することができる。
【００６２】
なお、第１の実施形態では、シート２２、第２シート２３を配備した場合を例に挙げて説明したが、これに限らず、シート２２のみを配備するものであってもよい。
【００６３】
次に、第２の実施形態であるプリンタを説明する。ここでは、第１の実施形態のプリンタとの相違点についてのみ説明する。
【００６４】
図１１は、本発明の第２の実施形態であるプリンタの、フイルムドアが開けられた状態の外観斜視図である。
【００６５】
このプリンタ６には、図６に示すシート２２、第２シート２３の代わりに、スリット６０が形成されたスリット付きシート６１が設けられており、媒体装填室２と画像書込部３との間に隔壁を形成している。スリット６０が形成されていることで、異物が画像書込部３へ入りにくい構造になっている。
【００６６】
図１２は、スリット付きシートの正面図である。
【００６７】
このスリット６０は、インスタントフィルム１０１が媒体装填室２から送り出されてくると、インスタントフィルムの先端部１０１ｇと当接し、さらに、進行してきたインスタントフィルム１０１に押されて撓り、スリット６０の辺がインスタントフィルムの画像書込領域１０１ｂと接し、その画像書込領域１０１ｂを拭うため、画像書込領域１０１ｂに付着した異物が取り除かれる。
【００６８】
従って、スリット付きシート６１を採用した第２の実施形態のプリンタ６であっても、簡単な構造で、画像書込部３に異物が進入することを抑制することができる。
【００６９】
なお、スリットの形状は、スリット６０の形状に限定されず、であってもよい。
【００７０】
以上説明したように、本実施形態によれば、簡単な構造で、画像書込部に異物が進入することを抑制する工夫が施された画像書込装置を提供することができる。
【００７１】
なお、以上説明した実施形態では、プリンタを例に挙げて説明したが、インスタントフィルム上に被写体光を結像することによりインスタントフィルムを露光する撮影部を有するカメラを例に挙げてもよい。
【図面の簡単な説明】
【００７２】
【図１】第１の実施形態であるプリンタの、前方斜め上から見たときの外観斜視図である。
【図２】図１に示すプリンタの下面側を斜め下方から見た斜視図である。
【図３】このプリンタで使用されるインスタントフイルムの露光面を示す斜視図である。
【図４】インスタントフイルムの観察面を示す斜視図である。
【図５】このプリンタで使用されるインスタントフイルムパックの、前方斜め上から見たときの外観斜視図である。
【図６】図２に示すプリンタの、フイルムドアが開けられた状態の斜視図である。
【図７】プリンタを断面で切断したときの、前方斜め上から見たときの外観斜視図である。
【図８】図１に示すプリンタにおいて、デジタルカメラ付き携帯電話からの画像データが送信される様子を示す図である。
【図９】インスタントフィルムが媒体装填室から送り出された後に第２のシートと当接したときの、媒体装填室と画像書込部との境界部分を表した断面図である。
【図１０】インスタントフィルムが搬送ローラに挟まれた後の、媒体装填室と画像書込部との境界部分を表した断面図である。
【図１１】本発明の第２の実施形態であるプリンタの、フイルムドアが開けられた状態の外観斜視図である。
【図１２】スリット付きシートの正面図である。
【符号の説明】
【００７３】
１  プリンタ
１ａ  筐体
１ｂ  ストラップ取付部
２  媒体装填室
３  画像書込部
４  現像部
５  携帯電話
６  プリンタ
１１  電源スイッチ
１２  リピートスイッチ
１３  カウンタ
１４  送受信部
１５  電源用ＬＥＤ
１６  通信エラー用ＬＥＤ
１７  ローバッテリ表示用ＬＥＤ
１８  フイルムドア開放スイッチ
１９  送出口
２０  フイルムドア
２０ａ  パック在否確認窓
２０ｂ、２０ｃ  バネ部材
２１  電池蓋
２２  シート
２３  第２のシート
２４  クロー（爪）部材
２５  本体壁
３０  光学ヘッド
３１、３２  搬送ローラ
４１、４２  展開ローラ
４３、４４  制御板
４５  フイルム案内フレーム
５１  ボタン
６０  スリット
６１  スリット付きシート
１０１  インスタントフイルム
１０１＿１  露光面
１０１＿２  観察面
１０１ａ  ポッド部
１０１ｂ  画像書込領域
１０１ｃ  余白部
１０１ｄ  トラップ部
１０１ｅ  観察部
１０１ｆ  余白部
１０１ｇ  先端部
１０２  インスタントフィルムパック
１０３  上面
１０４ａ、１０４ｂ  開口
１０５  側面
１０６  インスタントフィルム送出口
１０７  遮光シール
【図１】
2007007911.tif 000003
【図２】
2007007911.tif 000004
【図３】
2007007911.tif 000005
【図４】
2007007911.tif 000006
【図５】
2007007911.tif 000007
【図６】
2007007911.tif 000008
【図７】
2007007911.tif 000009
【図８】
2007007911.tif 000010
【図９】
2007007911.tif 000011
【図１０】
2007007911.tif 000012
【図１１】
2007007911.tif 000013
【図１２】
2007007911.tif 000014